(57)【要約】      （修正有）【課題】各種の糸、紐を用いて装身具、小物類、装飾品などの手工芸品を制作する際に継続して使用しても疲労が少なく、編み目模様がきれいなものを制作することが出来る手編み補助具を提供する。【解決手段】手編み補助具１は四角形の板の真ん中に空間を設け枠状にした形をし、枠の外周にコード４を差し込むための複数の溝２１乃至２ｎ、３１乃至３ｎを設けている。また任意の溝に差し込んだコードを、まとめて巻きつけるための突起を裏面に設けている。コードを突起に巻きつけた後、再び任意の溝にコードを差し込み固定する。コードとコードを差し込んだ溝とコードを巻きつけた突起との摩擦の繰り返しで、緩むことなく編み進めることができるため編み目がきれいに整う。イーゼルに固定して使用すれば作業時の姿勢が制限されないため疲労しにくい。【選択図】図１
0003187746.tif 000002
【実用新案登録請求の範囲】
【請求項１】
四角形をはじめ六角形などの多角形の板の真ん中に空間を設け枠状にしたものの外周に、コードを差し込むための複数の溝を設け、その複数の溝に対して同じ辺上に１つ乃至複数の差し込んだコードを巻きつけるための突起を、枠の裏面の中央の空間に近い位置に設けた手編み補助具。
【考案の詳細な説明】
【技術分野】
【０００１】
本考案は、各種の糸、紐（以下「コード」と呼ぶ）を用いて装身具、小物類、装飾品などの手工芸品を制作するために用いる手編み補助具に関する。
【背景技術】
【０００２】
従来の手編み補助具は、長方形の板の両端が立ち上り、その先端に多くの溝を設けた構造である。コードを片方の溝に差し込み固定してそのコードを編んだり、両端の溝にコードを差し込んで張った状態で固定し、そのコードに他のコードを足して編んでいく。テーブルの上に手編み補助具を置いて使用するほか、座った状態で腿の上に手編み補助具を固定して使用する。
【０００３】
編みものは編み目が揃っているものが美しく、固定したコードに他のコードを結びつけて制作する場合は、コードを均等な力具合で結びつけていくことが重要である。座った状態で体の中心に手編み補助具を置いて使用すれば、コードを左右均等な力具合で引きながら編むことが出来て編み目が揃うが、従来の手編み補助具は両腿の中心に置いて使用すると、幅が狭いため手編み補助具が傾いてしまい使用しづらい。
その為、従来の手編み補助具を座った状態で腿の上に載せて使用する場合は、傾かないように片方の腿の上に載せバンドやゴムなどで片方の腿に固定して使用する。(特許文献１参照)
したがって、手編み補助具を体の真ん中に位置させるためには、脚を組む必要がある。また体を固定した腿の方に少しねじることになり、長時間の作業には向かない。
また、固定していると作業を途中で止めてその場を離れる時、その都度固定した手編み補助具を外さなければならず、手間がかかるなどの欠点があった。
【先行技術文献】
【特許文献】
【０００４】
【特許文献１】実用新案登録第３１７０２３１号
【考案の概要】
【考案が解決しようとする課題】
【０００５】
本考案は、上記のような従来の欠点に鑑み、手編み補助具を使用して編む時に安定した状態で使用することができ、編み目が揃い、長時間編み進めていても疲れない姿勢で作業することが出来る手編み補助具を提供する事を目的としている。
【０００６】
本考案の前記ならびにその他の目的と新規な特徴は次の説明を添付図面と照らし合わせて読むとより完全に明らかになるであろう。
ただし、図面はもっぱら解説のためのものであって、本考案の記述的範囲を限定するものではない。
【課題を解決するための手段】
【０００７】
上記目的を達成するために、本考案は、四角形をはじめ六角形などの多角形の板の真ん中に空間を設け枠状にしたものの外周に、コードを差し込むための複数の溝を設け、その溝に対して同じ辺上に１つ乃至は複数の差し込んだコードを巻きつけるための突起を、枠の裏面の中央の空間に近い位置に設けたことで手編み補助具を構成している。
【考案の効果】
【０００８】
以上の説明から明らかなように、本考案にあっては次に列挙する効果が得られる。
四角形をはじめ六角形などの多角形の板の真ん中に空間を設け枠状にしたことで構成されているので（図１参照）、使用する際、椅子に座って両腿の上に編み具を安定して載せることが出来る。また、両腿の上に手編み補助具を載せテーブルに立て掛けて使用することも出来、この場合手編み補助具が編んでいる最中に動いてしまうことなく、安定した状態で使用することができる（図５参照）。
【０００９】
四角形をはじめ六角形などの多角形の板の真ん中に空間を設け枠状にしたことで構成されているので、キャンバスのようにイーゼルに固定することが出来（図６参照）、机などの手編み補助具の背面を支えるものがない場所や、椅子がない場所などでもイーゼルを持参することにより手編み補助具を使用することができる。また、体に固定することがないため、手編み補助具によって姿勢を制約されることがないので疲れにくく、その場を離れる時も腿に固定された手編み補助具を外す必要がないため容易に離れることができる。
【００１０】
また、イーゼルに固定することで、編み方を教える場合にイーゼルを容易に移動出来ることから、編みながら教える際に受講者の目線に合わせて、対面による混乱を防ぐことが出来、教えやすい。
【００１１】
四角形をはじめ六角形などの多角形の板の真ん中に空間を設け枠状にしたものの外周に、コードを差し込むための複数の溝を設けたことで構成されているので、溝の幅や深さ及び間隔を四角形をはじめ六角形などの多角形の相対する辺ごとに変えることで、一つの手編み補助具で異なった種類のコードを使用することができる。（図３参照）
【００１２】
コードを巻きつけるための突起を設けたことにより（図１、図２参照）、溝に差し込んだコードを巻きつけてまとめ、その後また溝に差し込むことにより、コードと手編み補助具の摩擦が多くなり、コードを引っ張りながら編んでも固定したコードが緩むことがなくなる。
また、コードを相対する辺に張った状態で固定した場合もコードが緩むことがない。
【図面の簡単な説明】
【００１３】
【図１】本考案を実施するための第１の形態の手編み補助具のおもて面の外観斜視図である。
【図２】本考案を実施するための第１の形態の手編み補助具の裏面の外観斜視図である。
【図３】本考案を実施するための第２の形態の手編み補助具のおもて面の外観斜視図である。
【図４】本考案を実施するための第２の形態の手編み補助具の裏面の外観斜視図である。
【図５】本考案を実施するための第１の形態及び第２の形態の手編み補助具を使用する際の基本の姿勢である。
【図６】本考案を実施するための第１の形態及び第２の形態の手編み補助具をイーゼルに固定して使用する際の外観斜視図である。
【考案を実施するための形態】
【００１４】
以下、本考案の実施の形態を図に基づいて詳細に説明する。
【００１５】
図１乃至図６の１は手編み補助具である。２１乃至２ｎ、３１乃至３ｎ、６１乃至６ｎ、７１乃至７ｎ、８１乃至８ｎ、９１乃至９ｎは手編み補助具１の外周に列ごとに溝の深さや幅及び間隔について同じ条件で付けられた複数の溝である。４は手編み補助具１に固定したコードである。５は手編み補助具１に取り付けられ、溝２１乃至２ｎ、３１乃至３ｎ、６１乃至６ｎ、７１乃至７ｎ、８１乃至８ｎ、９１乃至９ｎに差し込まれたコードを巻きつけるために枠の裏面の中央の空間に近い位置に設けた突起である。１０はテーブルである。１１はイスである。１２は手編み補助具１を固定して使用するイーゼルである。
【実施例１】
【００１６】
図１の手編み補助具１は、コード４を２１乃至２ｎ、３１乃至３ｎの任意の溝に張った状態で差し込み固定して使用する。２１乃至２ｎ、３１乃至３ｎの二つの溝列は溝の深さや幅及び間隔について同じ条件で形成している。２１乃至２ｎ、３１乃至３ｎに差し込んだコードはまとめて図２の突起５の突起に巻きつけ、再度２１乃至２ｎ、３１乃至３ｎ溝に差し込むことで、手編み補助具１とコードの摩擦の繰り返しによりコードが緩まなくなるので、コードが張った状態を長く維持することができる（図１、図２参照）。前記方法で設置したコード４に複数のコードを結びつけて編んでいく（図示せず）。
また、２１乃至２ｎ、３１乃至３ｎの任意の溝のどちらかに前記方法でコードの片方を差し込み固定して、そのコードのみで編んでいくことも可能である（図示せず）。
【００１７】
次に、図３乃至図６に示す本考案を実施するための異なる形態につき説明する。なお、これらの本考案を実施するための異なる形態の説明に当たって、前記本考案を実施するための第１の形態と同一構成部分には同一符号を付して重複する説明を省略する。
【実施例２】
【００１８】
図３乃至図４の６１乃至６ｎと７１乃至７ｎ、および８１乃至８ｎと９１乃至９ｎの溝の列は溝の深さや幅及び間隔について同じ条件で形成している。６１乃至６ｎと７１乃至７ｎ、８１乃至８ｎと９１乃至９ｎは手編み補助具１の４つの辺のうち、相対する位置に設置されており、手編み補助具１は相対する辺にコードを実施例１の如く設置して使用する。
実施例１と主に異なる点は、１つの編み具に２つの異なる条件の溝列が構成されたことで、１つの手編み補助具で種類の異なるコードに対応可能となる。
【００１９】
図５は実施例１および実施例２の手編み補助具を使用する際の基本的な姿勢を示した図である。
おもにテーブル１０とイス１１を使用して作業する場合の姿勢である。
イスに座って両腿の上に突起５を裏側にして手編み補助具１のコードを固定した溝部分を下にして載せ、上側の背面をテーブルに立て掛けて使用する。
また、テーブルの上に突起５を下にして載せて使用することも可能である。
【００２０】
図６は手編み補助具１をイーゼルに固定して使用する場合の例である。
手編み補助具１は突起５を裏側にし、コードを設置し終えた状態で固定する。その後、作業しやすい高さにイーゼル１２の脚の長さを調節して使用する。
【産業上の利用可能性】
【００２１】
本考案は、各種のコードを用いて装身具、小物類、装飾品などの手工芸品を制作する場合に利用される。
【符号の説明】
【００２２】
１  手編み補助具
２１乃至２ｎ  溝
３１乃至３ｎ  溝
４  コード
５  手編み補助具１に設けた突起
６１乃至６ｎ  溝
７１乃至７ｎ  溝
８１乃至８ｎ  溝
９１乃至９ｎ  溝
１０  テーブル
１１  イス
１２  イーゼル
【図１】
0003187746.tif 000003
【図２】
0003187746.tif 000004
【図３】
0003187746.tif 000005
【図４】
0003187746.tif 000006
【図５】
0003187746.tif 000007
【図６】
0003187746.tif 000008